(57)【特許請求の範囲】
【請求項１】
ウィンドスクリーンワイパー装置であって、
可撓性素材で作られたワイパー要素と、
前記ワイパー要素を操作可能に支持し前記ワイパー要素をプレカーブされた位置に付勢するキャリアと、
ワイパーアームに取付けるための接続装置とを備え、
前記接続装置は前記キャリアに係合したベースおよび前記ベースに着脱可能に接続可能な少なくとも１つの接続片を含み、
前記ベースは前記キャリアの対向する側端部の周りを包む一対の保持要素および横方向に離間した一対の側壁を含み、
前記接続片は横方向に離間した脚部のペアを含み、
ウィンドスクリーンワイパー装置はさらに、前記接続片の前記脚部に配置された一対の突起および前記ベースの前記側壁に配置された一対の凹部を備え、前記凹部は前記接続片と前記ベースを直接結合するよう前記突起を受けるため前記突起と類似の形状をしている、ウィンドスクリーンワイパー装置。
【請求項２】
前記凹部は前記ベースの前記側壁に形成され、前記突起は前記接続片の前記脚部に配置される、請求項１に記載のウィンドスクリーンワイパー装置。
【請求項３】
異なる型のワイパーアームの取付けのための複数の前記接続片をさらに含む、請求項１に記載のウィンドスクリーンワイパー装置。
【請求項４】
前記少なくとも１つの接続片は互いに横方向に離間された一対の横壁を含み、ワイパーアームの一部を受けるため前記横壁の間に横断的に延びるピンを含む、請求項１に記載のウィンドスクリーンワイパー装置。
【請求項５】
前記少なくとも１つの接続片はさらに前記横壁の間に横方向に延びる上壁を含み、ワイパーアームの通路のための開口部を示す、請求項４に記載のウィンドスクリーンワイパー装置。
【請求項６】
前記ピンはその内部に形成された溝を含む、請求項４に記載のウィンドスクリーンワイパー装置。
【請求項７】
前記ベースは前記キャリアと結合するように熱成形される、請求項１に記載のウィンドスクリーンワイパー装置。
【請求項８】
前記キャリアは長手方向に延びる一対のフレクサを含む、請求項１に記載のウィンドスクリーンワイパー装置。
【請求項９】
前記フレクサの隣接する端部はエンドキャップを介して互いに内部接合される、請求項８に記載のウィンドスクリーンワイパー装置。
【請求項１０】
前記突起は前記凹部にスナップ式に係合可能である、請求項１に記載のウィンドスクリーンワイパー装置。
【発明の詳細な説明】
【技術分野】
【０００１】
関連出願への相互参照
このＰＴＣ特許出願は、「後部防風ガラスウィンドスクリーンワイパー装置」と題して２０１３年１１月６日に提出された米国仮出願整理番号６１／９００，６２８、および「後部ウィンドスクリーンワイパー装置」と題して２０１４年１１月６日に提出された米国特許出願整理番号１４／５３４，８２０の優先権を主張し、その出願の開示全体が本願において考慮されるようここに引用により援用する。
【０００２】
発明の背景
１．技術分野
本発明は概ねウィンドスクリーンワイパー装置に関し、より具体的には、後部で揺動するワイパーアームを有するウィンドスクリーンワイパー装置を自動車に接合する接続アセンブリに関する。
【背景技術】
【０００３】
２．関連技術
スポーツ用多目的車、ハッチバック、ステーションワゴンのような多くの乗用車は揺動するワイパーアームおよび後部ガラスを清掃するワイパーブレードが提供される。そのような乗り物は異なるサイズおよび型の揺動するワイパーアームの範囲に含まれる任意の１つを有して提供される。当初の装備ワイパーブレードが擦り切れたときは、顧客は典型的には取り換えワイパーブレードを補修部品市場に頼る。
【０００４】
補修部品市場のワイパーブレードのいくつかは、１つのサイズおよび型の後部ワイパーアームへの取付用のためにのみ構成される。しかしながら、それぞれの型および長さの後部ワイパーブレードにパーツをカスタマイズするのはコストがかかる。そこで、規模の節約を通じてコスト削減を達成するために、異なる長さのワイパーブレードおよび異なる型のワイパーアームへの同じパーツの使用が望まれる。
【発明の概要】
【課題を解決するための手段】
【０００５】
発明および利点の概要
改善されたウィンドスクリーンワイパー装置は低コストで製造され、手速く、容易に後部ワイパーアームの幅に対してしっかりと取付けられるよう構成される。
【０００６】
本発明の１態様は可撓性素材で形成されるワイパー要素を含むウィンドスクリーンワイパー装置を提供する。キャリアが操作可能にワイパー要素を支持し、ワイパー要素をプレカーブされた位置に付勢する。接続装置が後部ワイパーアームとの取付けのために提供される。接続装置はキャリアと係合したベースおよびベースに着脱可能に接続できる少なくとも１つの接続片を含む。ベースはキャリアの対向する横側端部の周りを包む一対の保持要素と横方向に離間した一対の側壁を含む。接続片は横方向に離間した一対の脚部を含む。一対の突起がベースの少なくとも１つの側壁および接続片の脚部に配置され、一対の凹部が接続片をベースに取付けるために突起を受けるためベースの側壁および接続片の脚部の少なくとも１つの上に配置される。
【０００７】
図面の簡潔な説明
本発明のこれらまたは他の利点は以下の添付の図面を参考にした詳細な説明により容易に理解されよりよい理解となるであろう。
【図面の簡単な説明】
【０００８】
【図１】タイプＡ型の後部ワイパーに取付けた例示的なウィンドスクリーンワイパーを示す正面立面図である。
【図２】別のタイプＡ型の後部ワイパーに取付けた例示的なウィンドスクリーンワイパーを示す正面立面図である。
【図３】タイプＡ型の後部ワイパーに取付けた例示的なウィンドスクリーンワイパーを示す同寸分解図である。
【図４】図２の線４−４でとったウィンドスクリーンワイパー装置の断面図である。
【図５】図２の線５−５でとったウィンドスクリーンワイパー装置の断面図である。
【図６】図１のウィンドスクリーンワイパー装置のベースの同寸図である。
【図７】図６のベースの上面図である。
【図８】図６のベースの側面図である。
【図９】図６のベースの正面図である。
【図１０】図９の線１０−１０でとられたベースの断面図である。
【図１１】タイプＢ型の後部ワイパーと係合した接続片の第２の例示的な実施形態を有するウィンドスクリーンワイパー装置の同寸分解図である。
【図１２】図１１の接続片の上面立面図である。
【図１３】図１１の接続片の正面立面図である。
【図１４】タイプＤ型の後部ワイパーと係合した接続片の第３の例示的な実施形態を有するウィンドスクリーンワイパー装置の同寸分解図である。
【図１５】図１４の接続片の上面立面図である。
【図１６】接続片の第４の例示的な実施形態を有するウィンドスクリーンワイパー装置の同寸分解図である。
【図１７】図１６の接続片の上面立面図である。
【図１８】フック型の後部ワイパーと係合した接続片の第５の例示的な実施形態を有するウィンドスクリーンワイパー装置の同寸分解図である。
【図１９】図１８の接続片の上面立面図である。
【発明を実施するための形態】
【０００９】
図を参照して、複数の図を通じて同様の数字は対応する部分を示し、改善されたビーム型のウィンドスクリーンワイパー装置２０の第１の例示的な実施形態または車（示されていない）の後部ウィンドスクリーン（示されていない）を清掃するワイパーブレードアセンブリが概ね図１および図２に示される。ワイパー装置２０は後部ワイパーアーム２４の異なる型の幅への取付けのために迅速かつ容易に構成される容易に取り換え可能なパーツを有する接続装置２２を含む。具体的には、特別なツールを要することなく、ユーザーは接続装置２２を「タイプＡ」後部ワイパーアーム２４a（図１−図５）、「タイプＢ」後部ワイパーアーム２４ｂ（図１１）、「タイプＤ」後部ワイパーアーム２４ｃ（図１４）、「タイプＥ」後部ワイパーアーム（示されていない）あるいはフック型後部ワイパーアーム２４ｄ（図１９）の取付けのために素早く構成され得る。
【００１０】
ワイパー装置２０は水、氷および他の残骸を除去するために後部ガラスに対して封止する可撓性の弾性素材（ゴムなど）で作られたワイパー要素２６を含む。ワイパー装置２０は防風ガラスに対してワイパー要素２６の区間長を封止するためにワイパー要素を操作可能に支持しプレカーブされた形状に付勢する長手方向に延びるキャリアを有する点でビーム型装置である。これはフロントガラスに対してワイパー要素の区間長を付勢する複数のヨークを含む上部構造を採用したいわゆる旧来型のワイパー装置と対照的である。図４および５に最もよく示されるように、ワイパー要素２６は横方向に対向して長手方向に延びる一対の溝を有し、キャリアは溝内に配置され溝の横方向外側に突き出した長手方向に一対のストリップ（フレクサ２８としても知られる）を含む。図１および図２の参照にもどって、フレクサ２８の隣接する端部は互いにエンドキャップ３０で内部接続される。
【００１１】
接続装置２２は後部ワイパーアーム２４に取付けるためにフレクサ２８のほぼ長手方向中間点でフレクサ２８と係合する。図３に示されるように、複数のピースの接続装置２２はベース３２および接続片３４を含む。ベース３２は製造工程中永久ににフレクサ２８と固定または係合され、接続片３４は直接後部ワイパーアーム２４に係合するか代わりにワイパーアーム２４を係合する分離したアダプタ３６（図１８に示される）を受けるために接続片３４と着脱可能に係合可能である。ベース３２および接続片３４はそれぞれ好ましくはポリマー素材で射出成形プロセスを通じて形成される。ワイパー装置２０は好ましくは後部ワイパーアーム２４a、２４ｂ、２４ｃ、２４ｄの異なる型およびサイズと接続するためのベース３２を係合する類似の手段を有する２またはそれ以上の接続片３４、１３４、２３４、３３４、４３４で包装される。
【００１２】
次に図４から図６を参照して、ベース３２はキャリアのフレクサ２８と係合するベース３２の１片を保持するためにフレクサ２８の対向する横方向の縁部周辺を包むための略Ｌ形状の一対の保持要素３８を含む。好ましくは、ウィンドスクリーンワイパー装置２０の製造中、ベース３２の保持要素３８はフレクサ２８上の所定の長手方向の位置に滑り込む。次に、ベース３２はフレクサ２０との係合のためにベース３２のプラスチック素材を溶かしフレクサ２８上に一体的にコーティングして溶けた素材を冷ますことにより、熱成形されるか超音波溶接され、ベース３２とフレクサ２８の永久的な接続を確立する。しかしながら、ベース３２とキャリアを接合する任意の適切な接合手段が採用されてもよい。
【００１３】
好ましくは、ウィンドスクリーンワイパー装置２０はワイパーアーム２４a、２４ｂ、２４ｃ、２４ｄの異なる型に取付けるために設計された複数の接続片３４、１３４、２３４、３３４、４３４で包まれ、すべての接続片３４、１３４、２３４、３３４、４３４は類似の方法でベース３２に取付けるよう設計される。図１から図５に示される接続片３４の第１の例示的な実施形態を参照すると、ベース３２および接続片３４のは接続片３４またはベース３２のいずれかの上の一対の突起３９を他方の一対の凹部にスナップ嵌合することにより、互いに着脱可能に接続できる。特に、例示的な実施形態では、ベース３２は横方向に互いに離間し横方向に対向する一対の側壁４２を含む。接続片３４は垂直に下方に延びそれぞれベース３２内の凹部４０と同様の形状をした突起を有する一対の脚部４４を有する。脚部４４は接続片３４の脚部４４上の突起３９とベース３２の側壁４２内の凹部４０がスナップ嵌合するために外側に偏向するよう弾性で偏向可能である。
【００１４】
さらに図１から図５を参照して、接続片３４をベース３２に取付けるために接続片３４の脚部４４が突起が凹部４０に嵌合するまでベース３２のいずれかの側面上で外側に弾性偏向するようユーザーは単純に接続片３４を下側に促す。これは後部ウィンドスクリーンワイパー装置のために十分に確実な接続を提供する。このプロセスは非常に単純で特別なツールを必要としない。接続片３４はその後突起を凹部４０から外すために接続片３４を上側に引くことによりベース３２から外されてもよい。そのようなものとして、同じワイパー要素、フレクサ２８、エンドキャップ３０およびベース３２は後部で揺動するアームの異なる型の範囲で接続して使用できる。これは規模の節約を通じて重大な製造コスト削減をもたらす。
【００１５】
さらに第１の例示的な接続片３４を参照して、それぞれの例示的な接続片３４は互いに横方向に離間された一対の側壁４６および側壁４６の間を横断する上壁４８を含む。上壁４８はその内部に側壁４６の間の空間内を通じるワイパーアーム２４の通路を開くための開口部を有する。ピン５０は上壁４８の開口部の真下に位置し直接または間接に後部ワイパーアームの端部と係合するために側壁４６の間を横断的に延びる。
【００１６】
図１から図５に示された接続片３４の第１の例示的な実施形態はタイプＡ型の後部ワイパーアーム２４aに取付けるための大きさおよび位置となる。次に図１１から図１３を参照して、１００の因子をつけて区別された同様の数字は第１の実施形態と対応するパーツであることを示し、接続片１３４の第２の実施形態のピン１５０はタイプＢ型の後部ワイパーアーム２４ｂに取付けるための大きさおよび位置となる。次に図１４および図１５を参照して、２００の因子をつけて区別された同様の数字は第１の実施形態と対応するパーツであることを示し、接続片２３４の第３の実施形態のピン２５０はタイプＣ型の後部ワイパーアーム２４ｃに取付けるための大きさおよび位置となる。次に図１６および図１７を参照して、３００の因子をつけて区別された同様の数字は第１の実施形態と対応するパーツであることを示し、接続片３３４の第４の実施形態のピン３５０はタイプＥ型の後部ワイパーアーム（示されていない）に取付けるための大きさおよび位置となる。
【００１７】
次に図１８および図１９を参照して、４００の因子をつけて区別された同様の数字は第１の実施形態と対応するパーツであることを示し、接続片４３４はフック型の後部ワイパーアーム２４ｄを受けるためのピン４５０を旋回可能に係合する。アダプタ４３６は接続片４３４から分離されたピースとして作られ好ましくはプラスチック素材で射出成形プロセスを通じて作られる。
【００１８】
明らかに、以上の教示から多くの本発明の修正および変形が可能であり添付の請求の範囲内で具体的に説明された以上に実践されてもよい。
【図１】
0006602780.tif 000002
【図２】
0006602780.tif 000003
【図３】
0006602780.tif 000004
【図４】
0006602780.tif 000005
【図５】
0006602780.tif 000006
【図６】
0006602780.tif 000007
【図７】
0006602780.tif 000008
【図８】
0006602780.tif 000009
【図９】
0006602780.tif 000010
【図１０】
0006602780.tif 000011
【図１１】
0006602780.tif 000012
【図１２】
0006602780.tif 000013
【図１３】
0006602780.tif 000014
【図１４】
0006602780.tif 000015
【図１５】
0006602780.tif 000016
【図１６】
0006602780.tif 000017
【図１７】
0006602780.tif 000018
【図１８】
0006602780.tif 000019
【図１９】
0006602780.tif 000020